(57)【要約】【課題】  本発明は、成形品の成形精度を、ショット毎およびキャビティ間で略一定にすることができる射出成形金型装置を提供することを目的とする。【解決手段】  本発明の射出成形金型装置（１）は、充填部（１０７、１０８）と、該充填部の外側に設けられた金型（１５２）と、上記金型の外周面を覆う加熱部材（１２０）と、上記加熱部材を覆う断熱部材（１２１）と、上記加熱部材の温度を制御する温度制御手段（１２２、１２３）と、を有するように構成する。【選択図】      図１
2006315259.tif 000002
【特許請求の範囲】
【請求項１】
充填部と、該充填部の外側に設けられた金型と、
前記金型の外周面を覆う加熱部材と、
前記加熱部材を覆う断熱部材と、
前記加熱部材の温度を制御する温度制御手段と、
を有することを特徴とする射出成形金型装置。
【請求項２】
前記加熱部材は、複数の加熱領域で構成され、
前記温度制御手段は、前記複数の加熱領域別に温度を制御する、
ことを特徴とする請求項１に記載の射出成形金型装置。
【請求項３】
断熱材を有し、
前記複数の加熱領域の隣り合う加熱領域の間に、前記断熱材が配置されている、
ことを特徴とする請求項２に記載の射出成形金型装置。
【請求項４】
前記金型の内部、あるいは前記金型と接する位置に温度センサを有し、
前記温度制御手段は、前記温度センサから検出された信号に基づいて前記加熱部材の温度を制御する、
ことを特徴とする請求項１乃至３の内の何れか一つに記載の射出成形金型装置。
【請求項５】
前記金型と前記加熱部材の間に、伝熱部材を設けた、
ことを特徴とする請求項１乃至３の内の何れか一つに記載の射出成形金型装置。
【発明の詳細な説明】
【技術分野】
【０００１】
本発明は、射出成形金型装置における温度調節技術に関する。
【背景技術】
【０００２】
従来から精密プラスティック成形の分野では、金型の加熱時における温度調整と樹脂充填後の樹脂の冷却時における温度調整とが重要とされている。そこで、これまでに、最適な温度調節を行なうべく、各種の温度調節手段が検討されてきた。
【０００３】
図５に、従来の射出成形金型装置の一般的な構成を、内部構成が分かりやすいように断面図で示す。
同図の射出成形金型装置５は、同図の左右方向に型開きする横型タイプのものである。
【０００４】
射出成形金型装置５は、同図の実線Aを境界に、固定側金型１０と可動側金型１５に分けられる。ここで、可動側金型１５が同図左右に可動することにより、固定側金型１０及び可動側金型１５の接合動作（射出成形金型装置５の型閉じ動作）や離間動作（射出成形金型装置５の型開き動作）が行なわれる。
【０００５】
これら固定側金型１０及び可動側金型１５のそれぞれは、鏡面駒（１００または１５０）、中子（１０１または１５１）、型板（１０２または１５２）、受け板（１０３または１５３）、断熱プレート（１０４または１５４）、及び取り付け板（１０５または１５５）によって構成される。上記鏡面駒（１００または１５０）は、転写面を有しており、ボルト１０６で中子（１０１または１５１）に装着される。この状態で射出成形金型装置５の型閉じ動作が行なわれると、固定側金型１０及び可動側金型１５のそれぞれに装着された鏡面駒（１００及び１５０）の転写面が互いに突き合わされ、転写面によって囲まれたキャビティ（１０７及び１０８）が形成される。
【０００６】
また固定側金型１０には、ロケートリング１０９が取り付け板１５５に構成されており、このロケートリング１０９は、樹脂を送り出す射出機の固定側プラテン（不図示）に接合されている。そして、固定側金型１０の内部では、そのロケートリング１０９から可動側金型１５との接合面方向に、スプルブッシュ１１０が延びている。
【０００７】
このスプルブッシュ１１０内には、スプル１１１が設けられている。このスプル１１１は、ロケートリング１０９側から送りこまれた溶融樹脂を、キャビティ（１０７及び１０８）方向に送るためのものである。スプル１１１を通過した溶融樹脂は、型閉じした後、固定側金型１０及び可動側金型１５間に構成される溶融樹脂の通り道（ランナ１１２及びゲート１１３）を介して、キャビティ（１０７及び１０８）に充填される。
【０００８】
また固定側金型１０及び可動側金型１５の内部には、温度調節管１１４（同図にその断面を白丸で示す）が張り巡らされている。この温度調節管１１４には、金型の加熱時は高温の媒体が、またキャビティ（１０７及び１０８）内の樹脂の冷却時は低温の媒体（水や油など）が流され、金型全体５の温度を調節する。
【０００９】
このように本構成では、温度調節手段として固定側金型１０及び可動側金型１５の内部に高温または低温の媒体を流す温調機構を備え、金型全体５の温度を調節する。
温度調節手段としてはこの他、キャビティ近傍にヒータ等の加熱媒体を配置し、かつキャビティ近傍の主に加熱媒体のない方向に断熱層を配置する構成のものが開示されている。この構成においては、キャビティ部の昇温に必要な熱量が低減され、キャビティ部と金型本体とに高い温度差をつければ高速冷却も可能になるとされている。（特許文献１参照）
またこの他、金型の型開き時に金型内に高周波加熱手段を挿入して金型を一定温度に加熱しておくなどの方法が開示されたものもある。（特許文献２参照）
【特許文献１】特開２０００−１３５７２７号公報（段落「０００６」、「０００７」）
【特許文献２】特開２００１−３００９９９号公報（段落「００２６」）
【発明の開示】
【発明が解決しようとする課題】
【００１０】
上述したように、従来から、金型の温度調節を最適に行なうべく各種の温度調節手段が検討されてきた。
しかしながら、いずれの温度調節手段を有する射出成形金型装置においても、次のような欠点があった。
【００１１】
それは、金型本体が成形環境（外気）に対して曝されているため、金型本体の温度が成形環境温度（外気温度）の影響を受けやすいということである。
金型本体の表面は、直接、成形環境に曝されている。このため、成形環境温度の変動が金型本体に対する熱の出入りに直接影響する。本来、金型本体は、床の上に空間をおいて設置されて使用されている。この状態だと、特に金型本体の下面とその床との温度差により、熱の対流が生じやすい。そのため、この熱の対流が、金型本体、及び金型本体内の熱移動に乱れを生じさせる。
【００１２】
この影響により、同一ショット内であっても、キャビティ周辺部において、温度分布にバラツキが生じる。また、ショット毎では、金型本体内同一位置において、温度分布にバラツキが生じる。特に、溶融樹脂の工程でこのような温度分布にバラツキが生じると、成形品の成形精度も、ショット毎にバラツキ生じるので、問題である。
【００１３】
そこで本発明は、成形品の成形精度を、ショット毎およびキャビティ間で略一定にすることができる射出成形金型装置を提供することを目的とする。
【課題を解決するための手段】
【００１４】
本発明は上記課題を解決するために以下のように構成する。
本発明の射出成形金型装置の態様の一つは、充填部と、該充填部の外側に設けられた金型と、前記金型の外周面を覆う加熱部材と、上記加熱部材を覆う断熱部材と、上記加熱部材の温度を制御する温度制御手段と、を有するように構成する。
【００１５】
なお、上記加熱部材は複数の加熱領域で構成され、上記温度制御手段は、上記複数の加熱領域別に温度を制御する、ように構成することが望ましい。また、断熱材を有し、上記複数の加熱領域の隣り合う加熱領域の間に、上記断熱材が配置されているとなお良い。
【００１６】
また、上記金型の内部、あるいは前記金型と接する位置に温度センサを有し、上記温度センサから検出された信号に基づいて上記加熱部材の温度を制御すると良い。
また、上記金型と上記加熱部材の間に、伝熱部材を設けるとなお良い。
【発明の効果】
【００１７】
以上述べたように、本発明では、金型のうち、従来は外気と接触していた面の任意の位置に、加熱部材を構成している。よって、同一ショットにおけるキャビティ周辺部の温度分布のバラツキや、ショット毎の金型本体内同一位置における温度分布バラツキを極力抑えることができる。また、金型の外気接触面であれば、加熱部材は任意の位置に配置することができる。そのため、射出成形金型装置内部に温度調節管を配設する場合には、その温度調節管を、金型装置の構造による制限を余り受けることなく配管できる。また、特に冷却手段を増設する場合は、冷却に特化した温度調節管を金型に配設することができる。そのため、温度調節管の数を減少させることや、温度調節管を細くすることも可能となる。よって、射出成形金型装置本体の構造による配管レイアウトの制限の影響を更に受けにくくすることができる。この結果、同一ショットにおけるキャビティ周辺部の冷却速度や、ショット毎の冷却速度を略一定に保つことが可能となる。
【００１８】
また、加熱部材を断熱部材で覆うため、加熱部材と外気間の熱の出入りや、金型と外気間の熱の出入りを抑制できる。ここで、金型のうち、加熱部材に覆われていない外気接触面も断熱部材で覆うように構成すれば、金型と外気間の熱の出入りを更に抑制できる。このように、断熱部材により外気の熱の影響を抑制できるので、加熱部材による金型の加熱が低消費電力で行なえるようになる。また、射出成形金型装置本体を熱源とする外気の温度上昇を断熱部材により抑制できるので、外気温度を安定させるための消費電力を低く抑えることが可能になる。
【００１９】
以上のように、本発明によれば、射出成形金型装置における温度分布のばらつきを、極力抑えることができる。よって、バラツキのない成形品を、安定して成形できる。
【発明を実施するための最良の形態】
【００２０】
以下、本発明を実施するための最良の形態を、図面を参照しながら詳細に説明する。
なお、以下で参照する射出成形金型装置の図面は、その内部構成と発明の要部との配置関係とが分かりやすいように断面図で示すこととする。
【００２１】
図１は、本発明の射出成形金型装置の一構成例が示された図である。この構成例では、射出成形金型装置は、左右方向に型開きする横型タイプである、
同図（ａ）は、射出成形金型装置を、溶融樹脂の移動経路（後述するスプルからキャビティに至る経路）を境に縦に切り裂いて示した断面図である。そして、同図（ｂ）は、同図（ａ）の矩形破線Bに囲まれた部分の拡大斜視図である。
【００２２】
同図の射出成形金型装置１では、発明の要部を説明し易いように、従来技術の構成例（図５の射出成形金型装置）を基に作図し、図５と同一個所に同一番号を付した。
同図の射出成形金型装置１は、同図の実線Aを境界に、固定側金型１０と可動側金型１５に大別される。このうち、可動側金型１５は、同図の左右方向に自在に可動する。よって、この可動により、可動側金型１５を固定側金型１０に接合したり、固定側金型１０から離間したりできる。なお同図は、可動側金型１５が固定側金型１０に一杯に接近し、両者が接合した状態、すなわち型閉じした状態を示すものである。
【００２３】
これら固定側金型１０及び可動側金型１５のそれぞれは、従来技術の構成例（図５）に示した鏡面駒（１００または１５０）、中子（１０１または１５１）、型板（１０２または１５２）、受け板（１０３または１５３）、断熱プレート（１０４または１５４）、及び取り付け板（１０５または１５５）を備えている。そして、固定側金型１０及び可動側金型１５は、互いに密着（上記鏡面駒（１００または１５０）にあっては、同図に示されているようにボルト１０６により中子（１０１または１５１）に密着固定）されている。なお、取りつけ板１５５には、ロケートリング１０９が設けられている。よって、取りつけ板１０５、１５５は、ロケートリング１０９でノズルとスプルブッシュの軸心あわせを行なうことができる。そして、取りつけ板１０５、１５５は、それぞれ、本体装置１の不図示の可動盤、固定盤にボルトで固定されている。なお、この構成では、不図示のコンピュータによる制御で、可動盤が左右に移動される。そのため、可動側金型１５を、左右に移動することができる。
【００２４】
鏡面駒（１００または１５０）は、端面に転写面を有している。この転写面は、型閉じ時に、互いの面が突き合わされる状態となる。（なお、他の例、例えばプリズムでは、転写の状態は異なる。）このように、型閉じ状態になると、固定側金型１０及び可動側金型１５の各鏡面駒（１００及び１５０）の転写面間にキャビティ（１０７及び１０８）が形成される。このキャビティ（１０７及び１０８）には、溶融樹脂が充填される。よって、キャビティ（１０７及び１０８）を充填部ということができる。また、型閉じ状態では、中子１０１と１５１が、互いに当接する。この中子１０１と１５１の当接面には、ランナ１１２とゲート１１３が設けられている（形成されている）。ランナ１１２とゲート１１３は、キャビティ（１０７、１０８）内へ、溶融樹脂を充填するために用いられる。
【００２５】
固定側金型１０の内部には、更に、ロケートリング１０９から可動側金型１５との接合面に向けて、スプルブッシュ１１０が延びている。このスプルブッシュ１１０内には、スプル１１１が形成されている。そして、スプル１１１の一方の端部は、溶融樹脂を送り出す射出機のノズル（同図には不図示）と接合されている。また、スプル１１１の他方の端部は、溶融樹脂の通り道（ランナ１１２及びゲート１１３）に続いている。そして、溶融樹脂の通り道は、各キャビティ１０７、１０８毎に向かって枝分かれしている。よって、射出機から送りこまれた溶融樹脂はこのスプル１１１を通り、ランナ１１２及びゲート１１３に導かれ、それぞれのキャビティ（１０７及び１０８）に充填される。
【００２６】
射出成形金型装置１は、更に、加熱部材１２０（１２０−１及び１２０−３、または、１２０−２及び１２０−４）及び断熱部材１２１（１２１−１及び１２１−３、または、１２１−２及び１２１−４）を備えている。
【００２７】
加熱部材１２０は、発熱体としてコイルヒータ、シリコンラバーヒータ、ポリイミドヒータ、二ケイ化モリブテン発熱体などの電気抵抗体や赤外線ヒータなどが用いられている。加熱部材１２０は、固定側金型１０及び可動側金型１５が型閉じ状態で外気（成形環境の気体）に従来曝されていた部分（以下、金型外気接触面と呼ぶ）に設けられている。具体的には、型板（１０２または１５２）と受け板（１０３または１５３）の外周面である。図（ａ）では、固定側金型１０及び可動側金型１５の上下面に設けられている。しかしながら、加熱部材１２０は、型板（１０２または１５２）と受け板（１０３または１５３）の外周面を、全て覆うように設けるのが好ましい。
【００２８】
なお、この加熱部材１２０の配置は、装置本体１のキャビティ１０７、１０８や溶融樹脂の通り道などにおいて、温度分布にバラツキが生じないように調節できる配置であれば良い。そのため、この条件を満たすような配置であれば、金型外気接触面上の任意の位置に、加熱部材１２０を設けることができる。この配置は、装置本体１の構造や材質などに応じて適宜決定してよい。
【００２９】
断熱部材１２１は、真空断熱材や樹脂系の断熱材や木材系の断熱材などが用いられる。そして、断熱部材１２１は、加熱部材１２０を覆うように設けられている。本例で断熱部材１２１は、固定側金型１０及び可動側金型１５の上下面に設けられている。そのほか、同図には示されていないが、固定側金型１０及び可動側金型１５の手前の面と背面の金型にも設けるものとする。つまり、加熱部材１２０の外周面を、全て覆うように設けるのが好ましい。また、本例では、受け板（１０３または１５３）と取り付け板（１０５または１５５）の間にも、断熱プレート１０４、１５４が配置されている。よって、本例では、断熱プレート１０４、１５４を含めると、キャビティ１０７、１０８から見て全方向が断熱部材１２１で覆われていることになる。
【００３０】
この断熱部材１２１は、本例のようにキャビティ１０７、１０８から見て全方向を覆うように構成されることが望ましい。しかしながら、特に熱の対流が生じやすい装置本体１の設置面側（固定側金型１０及び可動側金型１５の下面）に設けるだけでも後述する効果は得られる。
【００３１】
同図（ｂ）には、上記加熱部材１２０及び断熱部材１２１の構成が詳細に示されている。同図（ｂ）には、加熱部材１２０−１、断熱部材１２１−１、金型（本例では型板１５２）に加え、同図（ａ）では省略した温度制御部１２２、電線１２３が示されている。同図に示されているように、上記加熱部材１２０−１は型板１５２に密着して設けられている。そして、その加熱部材１２０−１の表面を、断熱部材１２１−１が覆っている。また、加熱部材１２０−１には、電線１２３を介して温度制御部１２２が接続されている。よって、温度制御部１２２を使って、加熱部材１２０−１を所定温度に加熱することができる。この加熱部材１２０−１の温度制御（主に加熱制御）は、例えば予め経過時間に応じて設定されている加熱情報に従って行なうことができる。  なお言うまでも無いことであるが、上記加熱部材１２０−１と１２０−２、上記加熱部材１２０−３と１２０−４、上記断熱部材１２１−１と１２１−２、上記断熱部材１２１−３と１２１−４は、それぞれ、実線Aを境に物理的に分かれているものである。よって、温度制御部１２２は、各加熱部材１２０の温度（加熱）制御を独立的または従属的に行なうことができる。
【００３２】
本構成であれば、金型外気接触面上の任意の位置に加熱部材１２０を構成できる。このため、加熱部材１２０を自在に構成できるので、下記のバラツキを極力抑えることができる。
【００３３】
(1)キャビティ１０７及び１０８の各々について、その周辺部における温度分布のバラツキ。
(2) キャビティ１０７及び１０８間における温度分布のバラツキ。
【００３４】
(3)各キャビティ１０７、１０８に溶融樹脂を流し込む際の、各々の通り道における温度分布のバラツキ。
(4)溶融樹脂の通り道同士の間における温度分布のバラツキ。
【００３５】
また、断熱部材１２１を構成しているため、外気の熱が加熱部材１２０や本体装置１内に伝わり難くなると共に、加熱部材１２０や本体装置内の熱が外気に奪われ難くもなる。この結果、成形環境温度が変化したとしても、本体装置１内の熱移動のみだれや成形環境中の熱の対流の発生を減少させることができる。よって、装置本体１の温度を安定させやすくなる。また、装置本体１と外気間の熱の出入りが抑制されるために、本体装置の加熱を行なう際の加熱ロスは減少する。よって、成形環境温度の上昇を抑える（温度を一定に保つ）ために空調機を使用しても、その消費電力も低く抑えることが可能になる。
【００３６】
本装置１では、例えば、２３０℃程度に熱せられた溶融樹脂を、キャビティ１０７、１０８に充填させる。この場合、加熱部材１２０の温度を制御して、キャビティ１０７、１０８や溶融樹脂の通り道などを、１３０℃から１４０℃程度の温度になるようにすることができる。このようにすることで、本構成では、各キャビティ１０７、１０８、及び各キャビティ１０７、１０８に流れ込む溶融樹脂の各通り道の壁面温度にバラツキを生じ難くさせることができる。そのため、本構成では、樹脂流動性が互いのキャビティ間で一定に保たれた状態で、各キャビティに均一に溶融樹脂が充填される。また、充填完了後の保圧工程でも、それぞれのゲート付近で温度分布のバラツキが生じ難くなっている。そのため、キャビティ毎の保圧は均等にかかり、ゲートシールを同一時刻に終了させることができる。そして更に、保圧工程終了後の冷却工程でも、キャビティ間で均等な冷却が行なえる。よって、キャビティ間の成形品の固化が、均等な状態で行なえる。また、離型された場合でも、離間後も温度が安定した成形環境下で、均等にキャビティの冷却が行なわれる。これは、キャビティ間で冷却時間を同じにすることができることを意味する。よって、結果として、キャビティ毎に面精度バラツキのない成形品が生成できる。
【００３７】
図１（ｃ）は、図１の射出成形金型装置１の変形例である。この変形例では、温度センサ１２４（例えば熱電対などを使用）を、金型の内部に配置している。具体的には、型板（１０２または１５２）に埋設している。そして、この埋設位置から検出される温度が設定温度に達するように、温度制御部１２２が加熱部材１２０の温度を制御する。
【００３８】
図２は、図１の射出成形金型装置１の別の変形例である。
本例では、図２の射出成形金型装置１の内部に更に冷却管を配設させている。
図２の射出成形金型装置２には、上述した射出成形金型装置１の各構成部に加えて冷却管１２５が設けられている。
【００３９】
図２の射出成形金型装置１の各構成部は、ほとんど図１の各構成部と同じである。よって、図１の説明と重複するため、ここでは説明は省略する。
図２において、冷却管１２５は、その断面が白丸で示されている。この冷却管１２５は、冷却の機能のみを持たせた温度調節管である。このため、本例においては、冷却管１２５は、加熱の機能も持ち合わせた温度調節管と比べて、その断面を小さく（つまり冷却管を細く）することができる。また、本例においては、冷却管１２５の本数を大幅に減らすことができる。これは、冷却管１２５に冷却媒体を循環させる場合、従来のポンプに比べて、その出力を低減させることが可能になると共に、ヒータ容量を小さくすることができることも意味する。
【００４０】
このため、従来の温度調節管では配管レイアウトが制限される場合でも、この冷却管であれば、従来ほどはその制限の影響を受け難くなる。つまり、各キャビティが均等に冷却されるような配置に冷却管１２５を配設することができるようになる。
【００４１】
本装置２のように冷却管１２５を配設し、ここに冷却媒体を流すと、キャビティ内の溶融樹脂による装置本体２の温度上昇は抑止される。そこで、この冷却媒体の流量や温度を制御することで、本装置２の温度を設定温度に保てるようにもなる。これは、冷却管を備えたことによる成形品の冷却時間の短縮に加え、本体装置の温度をショット間で一定に保てることを意味する。よって、ショット毎、キャビティ毎に、成形品の冷却時間は安定的に得られ、ショット毎、キャビティ毎の成形品の面精度バラツキは抑止できる。
【００４２】
次に、加熱部材１２０を細かく分割した構成例を示す。
図３は、細かく分割した加熱部材が、金型外気接触面に配設された射出成形金型装置の構成図である。
【００４３】
同図（ａ）は、図１、図２と同じ要領で作成した断面図である。そして、同図（ｂ）は、同図（ａ）の矩形破線C１、C２に囲まれた部分の拡大斜視図である。
なお本構成では、その構成部品の殆どが図１や図２に対応する。よって、同一の構成部品に対する説明は、図１や図２で説明した内容と重複する。そこで、これらの構成部品に関する説明は省略することとし、図１や図２と異なる部分について詳しく説明する。
【００４４】
本例の射出成形金型装置３では、金型外気接触面上に加熱部材１２０（１２０−１、１２０−２、１２０−３、１２０−４）が設けられている。ここで、加熱部材１２０は、断熱材（同図（ａ）に矩形の黒桝で示されている部分）１２７により、複数のセルに分割されている。そして、その上を断熱部材１２１が覆っている。なお、本例では、断熱材１２７は、所定の物質で構成された部材である。しかしながら、何も配置せずにクリアランスにして、空気層を断熱材としても良い。
【００４５】
同図（ｂ）は、その分割セルの一部（同図（ａ）のC1とC２）を示している。同図（ｂ）には、加熱部材１２０−１の一部及び加熱部材１２０−２の一部が断熱材１２７によって物理的に切り分けられた二つの分割セルが示されている。本例では、固定側金型及び可動側金型の接合面での各分割セルを示している。このため、同図（ｂ）では、互いの接合面が非連続であることを強調するために互いの分割セル間にあえて隙間を開けて示したが、型閉じ時は隙間無く接合する。また、同一の型上（つまり固定側金型上または可動側金型上）では、隣り合う分割セルは互いに接合している。
【００４６】
そして本例では、断熱部材１２１が各分割セルの上面を覆う構成をとっている。勿論、言うまでもないが、接合面では同図に示されているように断熱部材１２１も分割されている。
【００４７】
そして、同図（ａ）では省略したが、温度制御部１２２が電線１２３を介して各々の加熱部材１２０−１、１２０−２に接続されている。このようにすることで、各加熱部材１２０−１、１２０−２を、それぞれの設定温度に加熱できるようになっている。この加熱部材１２０−１の温度（加熱）制御は、例えば予め経過時間に応じて設定されている加熱情報に従って行なうことができる。なお本例では、各図に示されているように温度センサ１２４（例えば熱電対などを使用）を型板（１０２または１５２）に埋設している。そして、この埋設地点から検出される温度が設定温度に達するように、温度制御部１２２が各加熱部材１２０−１、１２０−１を加熱制御する。
【００４８】
この温度制御部１２２による加熱制御は、分割セル別に行なうことが可能である。
本構成では、各分割セルを個別に加熱制御することができる。よって、それぞれの加熱部材を個別の温度に加熱制御しても、断熱材１２７で熱が遮断されるので、隣り合う分割セルに影響を及ぼさない。そのため、狙った個所の加熱を正確に行なうことができる。
【００４９】
以上のことから、二つのキャビティ１０７及び１０８間の温度分布や、各キャビティ１０７、１０８に溶融樹脂を流し込む各々の通り道間の温度分布などのバラツキを少なくすることがより可能になる。
【００５０】
また、断熱部材１２１を構成しているため、外気の熱が加熱部材１２０や本体装置３内に伝わり難くなると共に加熱部材や本体装置３内の熱が外気に奪われ難くもなる。この結果、成形環境温度の変化による本体装置３内の熱移動のみだれや成形環境中の熱の対流の発生率が減少し、装置本体３の温度を安定させやすくなる。また、装置本体３と外気間の熱の出入りが抑制されるために、本体装置の加熱を行なう際の加熱ロスは減少し、成形環境温度の上昇を抑える際にかかる空調機の消費電力も低く抑えることが可能になる。
【００５１】
本構成では、各キャビティ１０７、１０８及び各キャビティ１０７、１０８に流れ込む溶融樹脂の各通り道の壁面温度にバラツキを生じ難くさせることができるため、樹脂流動性が互いのキャビティ間で一定に保たれ、各キャビティに均一に溶融樹脂が充填される。また、充填完了後の保圧工程でも、それぞれのゲート付近で温度分布のバラツキが生じ難くなっているためキャビティ毎の保圧は均等にかかり、ゲートシールを同一時刻に終了させることができる。そして更に、保圧工程終了後の冷却工程でも、キャビティ間で均等な冷却がおこなえ、キャビティ間の成形品の固化状態が均等な状態で離型され、離間後も温度が安定した成形環境下で均等に冷却が行なわれる。これは、キャビティ間で冷却時間を同じにすることができることを意味し、結果として、キャビティ毎に面精度バラツキのない成形品が生成できる。
【００５２】
射出成形金型装置３の変形例を図３（ｃ）に示す。この変形例では、金型外気接触面上に、伝熱部材１２６（１２６−１、１２６−２）が設けられている。そして、伝熱部材１２６を介して加熱部材１２０（１２０−１、１２０−２、１２０−３、１２０−４）が設けられている。これら伝熱部材１２６及び加熱部材１２０は、断熱材（同図（ａ）に矩形の黒桝で示されている部分）１２７により、複数のセルに分割されている。そして、その上を断熱部材１２１が覆っている。なお、上記断熱材１２７は、部材を構成する代わりにクリアランスにして空気層をつくっても良い。
【００５３】
このように、本変形例では、伝熱部材１２６を介してから、金型外気接触面を加熱する。そのため、加熱部材１２０による加熱を鈍化させて、加熱部材１２０の急加熱や温度振れを吸収し、より正確な温度制御が可能になる。
【００５４】
図４は、図３に示された射出成形金型装置の変形例である。
図４に示される射出成形金型装置４は、図３の射出成形金型装置の変形例において冷却管の配管レイアウトを変えた場合の構成例である。
【００５５】
これまで説明してきたように、本発明では細い冷却管１２５を使用できるため、冷却管１２５を同図に示されるように変更することも困難なことではなくなり、最適な配管レイアウトとすることが可能となる。
【図面の簡単な説明】
【００５６】
【図１】本発明の射出成形金型装置の構成例である。
【図２】図１の射出成形金型装置の変形例である。
【図３】分割セルで加熱制御する場合の射出成形金型装置の構成例である。
【図４】図３の射出成形金型装置の変形例である。
【図５】従来の射出成形金型装置の構成例である。
【符号の説明】
【００５７】
１  射出成形金型装置
１０  固定側金型
１５  可動側金型
１０７、１０８  キャビティ
１１２  ランナ
１１３  ゲート
１２０  加熱部材
１２１  断熱部材
１２２  加熱部材温度制御装置
１２３  電線
１２４  温度センサ
１５２  金型（型板）
【図１】
2006315259.tif 000003
【図２】
2006315259.tif 000004
【図３】
2006315259.tif 000005
【図４】
2006315259.tif 000006
【図５】
2006315259.tif 000007